(57)【要約】【課題】筐体の外部から焼却炉内に導入される空気の経路中に、磁気付与手段とマイナスイオン付与手段とを別々に設けることにより、燃焼空気に十分な磁気およびマイナスイオンを付与して、燃焼効率の向上を図った小型の廃棄物処理装置を提供する。【解決手段】廃棄物を焼却処理する焼却室を形成する筐体と、該筐体の壁部外側から焼却室内に空気を導入する空気導入管を備えた廃棄物処理装置において、空気導入管に、焼却室内に導入される外部空気に磁気を及ぼす磁石と、外部空気にマイナスイオンを及ぼす鉱石とを備えた。【選択図】図１
2008064325.tif 000002
【特許請求の範囲】
【請求項１】
廃棄物を焼却処理する焼却室を形成する筐体と、該筐体の壁部外側から前記焼却室内に空気を導入する空気導入管を備えた廃棄物処理装置であって、
前記空気導入管は、前記焼却室内に導入される外部空気に磁気を及ぼす磁石と、前記外部空気にマイナスイオンを及ぼす鉱石とを備えていることを特徴とする廃棄物処理装置。
【請求項２】
前記マイナスイオンを生じる鉱石は、水晶、トルマリン鉱石、麦飯石、蛍石、石英、ネオジューム、磁鋼鉱石より成る群から選ばれた１種または２種以上である請求項１に記載の廃棄物処理装置。
【請求項３】
前記磁石は、前記筐体の外側に配された前記空気導入管の基部に配されている請求項１または２に記載の廃棄物処理装置。
【請求項４】
前記空気導入管は、前記基部から１つの管出口に直接連通する第１空気導入管と、前記基部から前記筐体の外側壁面に亘って設けられた中空の矩形管部を介して複数の管出口に枝分かれして連通する第２空気導入管とからなり、かつ、
前記鉱石は、前記第２空気導入管の前記矩形管部に配されている請求項３に記載の廃棄物処理装置。
【発明の詳細な説明】
【技術分野】
【０００１】
本発明は、廃棄物を滅却処理する廃棄物処理装置に関し、より詳細には、ダイオキシン類や悪臭の発生を抑制しつつ、効率よく廃棄物を滅却処理することができる小型の廃棄物処理装置に関する。
【背景技術】
【０００２】
従来より、一般廃棄物や産業廃棄物などは、ゴミ収集車等により収集された後に、焼却処理されるのが、一般的に主流である。また、一般家庭や学校で廃棄物であるゴミを焼却処理する場合もある。
【０００３】
ところが、これらの焼却処理は、焼却炉内で廃棄物を燃焼させるため、ダイオキシンや炭化水素などの有害物質や燃焼にともなう悪臭を生じてしまい、これが大きな環境問題になっている。また、化石燃料等を用いて高温で焼却処理する場合には、多大なランニングコストを要するとともに、多量の燃焼残留灰が発生し、その処理の問題などがあった。
【０００４】
そこで、このような問題に対応するために、誘導過熱手段を用いて焼却炉内を高温にして廃棄物を燃焼させることにより、ダイオキシン類の発生を抑制しようとしたものが、例えば、特許文献１および特許文献２に開示されている。
【０００５】
【特許文献１】特開２００５−１４１９１４号公報
【特許文献２】特開２００５−１２７６８０号公報
【発明の開示】
【発明が解決しようとする課題】
【０００６】
しかしながら、特許文献１や特許文献２のように、廃棄物を高温で燃焼させる場合には、耐熱性に優れた焼却炉が必要であるため、製造コストが嵩んでしまうという問題があった。さらに、特許文献１や特許文献２では、誘導過熱手段であるコイルに電流を供給する必要があり、設備のために多大なコストがかかるという問題があった。
【０００７】
また、近年、一般家庭や一般企業などの規模で使用することができるように小型でコスト性に優れた構造を有し、かつ、ダイオキシン類の発生を抑制しつつ廃棄物を処理することができる装置が求められていた。そこで、本出願人は、特願２００５−３５２０８１において、処理装置本体内に導入する管および焼却室の底面に配合岩石を配することにより、焼却室内の空気に磁気およびマイナスイオンを付与して、加熱効果の促進、およびダイオキシン類の発生の抑制を図った家庭用の処理装置を提案している。
【０００８】
しかしながら、上記廃棄物処理装置では、配合岩石が、磁気およびマイナスイオンを生じる素材に限定され、また、そのような配合岩石では、焼却室内で大量の廃棄物を処理する必要がある場合に、燃焼空気のマイナスイオン濃度を、それらの大量の廃棄物を効率よく燃焼し得るだけの十分な濃度にするのは困難であった。
【０００９】
そこで、本発明は、上記事情に鑑みてなされたものであり、その目的とするところは、筐体の外部から焼却炉内に導入される空気の経路中に、磁気付与手段とマイナスイオン付与手段とを別々に設けることにより、燃焼空気に十分な磁気およびマイナスイオンを付与して、燃焼効率の向上を図った小型の廃棄物処理装置を提供することにある。
【課題を解決するための手段】
【００１０】
本発明は廃棄物処理装置に関するもので、本発明の上記目的は、廃棄物を焼却処理する焼却室を形成する筐体と、該筐体の壁部外側から前記焼却室内に空気を導入する空気導入管を備えた廃棄物処理装置であって、前記空気導入管が、前記焼却室内に導入される外部空気に磁気を及ぼす磁石と、前記外部空気にマイナスイオンを及ぼす鉱石とを備えていることにより、達成される。
【００１１】
また、本発明の上記目的は、前記マイナスイオンを生じる鉱石は、水晶、トルマリン鉱石、麦飯石、蛍石、石英、ネオジューム、磁鋼鉱石より成る群から選ばれた１種または２種以上であることにより、効果的に達成される。
【００１２】
また、本発明の上記目的は、前記磁石が、前記筐体の外側に配された前記空気導入管の基部に配されていることにより、効果的に達成される。
【００１３】
さらに、本発明の上記目的は、前記空気導入管が、前記基部から１つの管出口に直接連通する第１空気導入管と、前記基部から前記筐体の外側壁面に亘って設けられた中空の矩形管部を介して複数の管出口に枝分かれして連通する第２空気導入管とからなり、かつ、前記鉱石が、前記第２空気導入管の前記矩形管部に配されていることにより、効果的に達成される。
【発明の効果】
【００１４】
本発明に係る廃棄物処理装置によると、焼却室内に導入される外部空気に磁気を及ぼす磁石と、外部空気にマイナスイオンとを空気導入管に別々に設けたことにより、空気に磁気を付与するのに特化した最適な磁気付与手段と、空気にマイナスイオンを付与するのに特化した最適なマイナスイオン付与手段とを任意に選択可能となり、焼却室内に導入される空気に対して、より十分な磁気およびマイナスイオンを付与することができる。これにより、焼却室内にマイナスイオンおよび磁気を充足させることができるので、燃焼効率を向上させるとともに、ダイオキシン類の発生を抑制することができる。この結果、高い処理能力および低コスト性を有するコンパクトな廃棄物処理装置が可能となった。
【発明を実施するための最良の形態】
【００１５】
本発明は、廃棄物の燃焼処理の効率を向上するための空気導入管を設けた廃棄物処理装置に関する。
【００１６】
図１は、本発明の実施形態に係る廃棄物処理装置の外観を概略的に示す斜視図である。同図において、廃棄物処理装置１は、焼却室を形成する筐体２と、該筐体２の上部に立設された排気管３とを備え、生ゴミ、紙、繊維、合成樹脂などの可燃性の廃棄物を筐体２内で燃焼し、燃焼ガスを排気管３を介して外部へ送出するようになっている。
【００１７】
筐体２は、耐熱性に優れたステンレス鋼等の鉄系金属からなり、一定の厚さを有する複数の金属板を溶接等によって接合することにより、中空の略直方体形状の焼却室が形成される。筐体２の上面には、可燃性の廃棄物を筐体２内の焼却室に投入するための投入部５が配設されている。この投入部５は、図１中の矢印Ｘ−Ｘ´方向に回動可能に取り付けられた蓋部材５ａ、および該蓋部材５ａより内側に設けられたシャッター部材（図示せず）によって入口が閉鎖される、２重扉構造になっている。
【００１８】
また、筐体２の両側壁部には、外部空気を筐体２内の焼却室に導入するための複数の空気導入管６が筐体２の板厚方向に嵌合されている。
【００１９】
図２は、廃棄物処理装置１の焼却室４を示す要部断面図である。同図に示すように、筐体２の左右両側の壁部には、廃棄物を燃焼するための燃焼空気を筐体２内の焼却室４に導入するための複数の空気導入管６，６が、筐体２の板厚方向に嵌合され、その基部６ａ，６ａが筐体２の外側に設けられている。この複数の空気導入管６，６は、筐体２の壁部に嵌合固定され、各空気導入管６，６の管出口６ｃ，６ｃは、先端の縦断面形状が略４５°になるように形成され、筐体２内の焼却室４の側面４ａから突出するように配設されている。
【００２０】
なお、本実施形態では、空気導入管６が２段になるように設けられているが、これに限定されるものではない。大量の廃棄物を処理するためには、空気導入管６から導入される空気を焼却室４内に満遍なく行き渡らせる必要があるので、必要に応じて適宜空気導入管５の段の数を変更することができる。また、各段の管数も焼却室４の大きさに応じて適宜変更することができる。
【００２１】
図３は、図２中のIII−III線に沿った断面矢視図である。本実施形態に係る空気導入管６は、筐体２の外側に設けられた基部６ａから１つの管出口６ｃに直接連通している第１空気導入管６Ａ、および、筐体２の外側に設けられた基部６ａから筐体２の外側壁面に全周に亘って設けられた中空の矩形管部６Ｂ´を介して複数の管出口６ｃに枝分かれして連通している第２空気導入管６Ｂの２種類からなる。第１空気導入管６Ａおよび第２空気導入管６Ｂは、ともに燃焼空気を焼却室４内に導入するためのものであるが、第２空気導入管６Ｂは、焼却室４内の空気を循環させる機能を更に有する。第２空気導入管６Ｂの矩形管部６Ｂ´の内周面には、マイナスイオンを生じる粉状の鉱石が均一に配設され、これにより、矩形管部６Ｂ´を介して焼却室４に導入される外部空気には、マイナスイオンが付与される。このマイナスイオンには、化学種の発生を促がすとともに、酸素分子のファンデルワールス力を断ち切って、酸素のクラスターを微細化する効果があり、これにより、廃棄物の燃焼効率を向上させることができる。
【００２２】
なお、マイナスイオンを生じる鉱石には、水晶、トルマリン鉱石、麦飯石、蛍石、石英、ネオジューム、磁鋼鉱石から選ばれた１種または２種以上を用いることが好ましい。
【００２３】
図４は、空気導入管６の要部断面図である。外部から基部６ａを通って焼却室６に導入される空気量は、バルブ６ｂによって調節する。基部６ａの内周面には、永久磁石７が取り付けられている。この永久磁石７は、その磁極が対向するように配され、その磁場が基部６ａから導入される外部空気の流れに対して直交するように形成される。これにより、この磁場を通過して導入される外部空気に対して磁気が及ぼされ、この磁気が及ぼされた外部空気は、バルブ６ｂを通過した後に、空気導入管６を介して筐体２内の焼却室４に導入される。この磁気が及ぼされた外部空気には、加熱を促進させる効果があり、消火することなく廃棄物の燃焼を進行することができる。また、永久磁石７の代わりに電磁石を用いても良い。
【００２４】
次に廃棄物処理装置１による廃棄物の処理方法について説明する。まず、筐体２の蓋部材５ａおよびシャッターを開けて、投入部５から焼却室４内に廃棄物を投入する。そして、投入部５から着火物（加熱物）を投入して廃棄物に着火した後に、蓋部材５ａおよびシャッターを閉めて焼却室４を密閉し、バルブ６ｂによって焼却室４に導入される外部空気量を調整する。この外部空気には永久磁石７による磁気（磁界）の効果と、マイナスイオンを生じさせる鉱石によるマイナスイオンの効果によって、投入された廃棄物は焼却室４で消火することなく燃焼を継続する。この燃焼は、通常の燃焼とは異なり、炎をほとんど生じないため、燃焼ガスの排出量も少量であり、また、その燃焼温度は、２００℃〜１２００℃まで調節可能である。これにより、廃棄物を燃焼する際に生じるダイオキシン類の濃度が低減され、かつ、燃焼残留灰が少量化される。
【００２５】
また、空気導入管６にはバルブ６ｂを設けており、焼却室４への外部空気の導入量を個別に制御することができるので、廃棄物の量や種類に応じた最適な外部空気の導入量を容易に設定することができる。
【００２６】
以上、本発明の実施形態について具体的に説明してきたが、本発明はこれに限定されるものではなく、その趣旨を逸脱しない範囲で適宜変更可能である。
【図面の簡単な説明】
【００２７】
【図１】本発明の実施形態に係る廃棄物処理装置の外観を概略的に示す斜視図である。
【図２】本発明の実施形態に係る廃棄物処理装置の焼却室を示す一部破断側面図である。
【図３】図２中のIII−III線に沿った断面矢視図である。
【図４】本実施形態に係る空気導入管の要部断面図である。
【符号の説明】
【００２８】
１      廃棄物処理装置
２      筐体
３      排気管
４      焼却室
５      投入部
５ａ    蓋部材
６      空気導入管
６ａ    基部
６ｂ    バルブ
６ｃ    管出口
６Ａ    第１空気導入管
６Ｂ    第２空気導入管
６Ｂ´  矩形管部
７      永久磁石
【図１】
2008064325.tif 000003
【図２】
2008064325.tif 000004
【図３】
2008064325.tif 000005
【図４】
2008064325.tif 000006